(57)【要約】【課題】低コストでのデザインの変更を可能とし、多様化するシステムキッチンのデザインとの調和がとれることを目的とする。【解決手段】ビルトインこんろ１の外観部となる左，右操作パネル面２０Ｌ，２０Ｒを後付け部品として器具前面に着脱可能としているため、器具本体の全体構造は変えることなく、材料や色を変えた複数種類の操作パネル面、例えば、ガラス製、ステンレス製、人工大理石製などを用意するだけで、多様なデザインを提供でき、デザイン変更にかかるコストを低減できる。この結果、多様なデザインのビルトインこんろを提供でき、近年特に多様なデザインが施されてきたシステムキッチンとの調和をとることが可能となる。【選択図】  図１
2004245445.tif 000002
【特許請求の範囲】
【請求項１】
キッチンユニットのカウンタトップに形成された上面開口に器具本体を上部から組み込んでカウンタ前面に形成された前面開口に器具前面をはめ込み該前面開口から操作パネル面を露出させるビルトインこんろにおいて、
上記操作パネル面を器具本体とは別体とすると共に、該操作パネル面を複数種類備え、その内の一つを選択して着脱可能に器具前面に取り付けることを特徴とするビルトインこんろ。
【請求項２】
上記操作パネル面に、器具前面の左右と上記前面開口との間に生じた隙間を塞ぐサイドモールを一体に形成し、該操作パネル面を、器具本体を上記カウンタトップに組み込んだ状態で前面から取り付けることを特徴とする請求項１記載のビルトインこんろ。
【発明の詳細な説明】
【０００１】
【発明の属する技術分野】
本発明は、キッチンユニットのカウンタトップに形成された上面開口に器具本体を上部から組み込むビルトインこんろに関する。
【０００２】
【従来の技術】
従来から、キッチンユニットのカウンタに一体で収納したビルトインこんろが知られている（例えば、特許文献１又は特許文献２参照）。このようなビルトインこんろ１０１では、図５，６に示すように、カウンタトップ１０２に形成した上面開口１０３に器具本体を落とし込み器具本体の上端１０６をカウンタトップ１０２に引っ掛けて係止させると、カウンタ前面１０４に形成した前面開口１０５に器具前面がはまり込んで、操作パネル面１２０が前面開口１０５から顔を出す。この際、器具の横幅と上面開口１０３や前面開口１０５の幅とに寸法差があり、器具を単に落とし込んで収納しただけでは、器具前面の左右と前面開口１０５との間に隙間Ｓが生じキッチンユニット素材がむきだしとなってしまうため、収納後さらに左右の隙間Ｓに正面より化粧板１２２（以下、サイドモール１２２と呼ぶ）を取り付ける。
【０００３】
【特許文献１】
特開平９−２８０５７４号公報
【特許文献２】
特開平１０−１１０９５７号公報
【０００４】
【発明が解決しようとする課題】
しかしながら、上述したようなビルトインこんろ１０１では、器具の外観部となる操作パネル面１２０を器具本体と一体形成しているため、操作パネル面１２０だけの色や形状を変更することが難しく、多様化しているシステムキッチンの外観と調和させるためには、それぞれのシステムキッチンに合わせて器具全体のモデルチェンジをしなければならなずコストがかかりすぎるものであった。この結果、ビルトインこんろ１０１は、黒やシルバーといった無難なデザインしかできず、近年特に多様なデザインが施されてきたシステムキッチンとの調和がとれなくなっているという問題があった。
また、後付け部品であるサイドモール１２２と操作パネル面１２０との間でデザインの統一感をだすことも難しかった。
本発明のビルトインこんろは上記課題を解決し、低コストでのデザインの変更を可能とし、多様化するシステムキッチンのデザインとの調和がとれることを目的とする。
【０００５】
【課題を解決するための手段】
上記課題を解決する本発明の請求項１記載のビルトインこんろは、
キッチンユニットのカウンタトップに形成された上面開口に器具本体を上部から組み込んでカウンタ前面に形成された前面開口に器具前面をはめ込み該前面開口から操作パネル面を露出させるビルトインこんろにおいて、
上記操作パネル面を器具本体とは別体とすると共に、該操作パネル面を複数種類備え、その内の一つを選択して着脱可能に器具前面に取り付けることを要旨とする。
【０００６】
また、本発明の請求項２記載のビルトインこんろは、上記請求項１記載のビルトインこんろにおいて、
上記操作パネル面に、器具前面の左右と上記前面開口との間に生じた隙間を塞ぐサイドモールを一体に形成し、該操作パネル面を、器具本体を上記カウンタトップに組み込んだ状態で前面から取り付けることを要旨とする。
【０００７】
上記構成を有する本発明の請求項１記載のビルトインこんろは、カウンタトップに形成された上面開口に器具全体を上部から組み込んでカウンタ前面に形成された前面開口に器具前面をはめ込み、器具本体とは別体とした操作パネル面を器具前面に取り付ける。
このようにビルトインこんろの外観部となる操作パネル面を後付け部品として器具前面に着脱可能としているため、器具本体の構造は変えることなく複数種類ある操作パネル面のみを付けかえることによって、多様なデザインのシステムキッチンに対して低コストで対応可能となる。
【０００８】
また、本発明の請求項２記載のビルトインこんろは、器具をカウンタトップに組み込んだ状態で器具前面の左右と前面開口との間に生じた隙間を塞ぐサイドモールを一体に形成した操作パネル面を器具前面に取り付ける。従って、操作パネル面を取り付けるだけで、器具前面の左右と前面開口との間に生じた隙間を塞ぐことができる。
更に、操作パネル面とサイドモールとが一体であるから、デザインの統一感が生まれ、デザイン性能が向上する。
【０００９】
【発明の実施の形態】
以上説明した本発明の構成・作用を一層明らかにするために、以下本発明のビルトインこんろの好適な実施形態について説明する。
【００１０】
図２，３に示すように、本実施形態のビルトインこんろ１においては、キッチンユニットのカウンタトップ２に形成した四角形の上面開口３に器具本体を落とし込み器具本体の上端６をカウンタトップ２に引っ掛けて係止させると、カウンタ前面４に形成した前面開口５に器具前面がはまり込む構成である。そして、器具本体をカウンタトップ２に組み込んだ状態で、その前面から操作パネル面２０を着脱可能に取り付ける。尚、操作パネル面２０については、後で詳述する。
【００１１】
ビルトインこんろ１は、トッププレート１１にこんろバーナ１２ａ，１２ｂ，１２ｃが設けられ、それらの周囲に設けられた五徳１３ａ，１３ｂ，１３ｃ上に図示しない調理鍋を載せ、ビルトインこんろ１の前面に設けられる操作ボタン１４ａ，１４ｂ，１４ｃを押すことによりそれぞれのこんろバーナ１２ａ，１２ｂ，１２ｃに点火され、五徳１３ａ，１３ｂ，１３ｃ上の調理鍋が加熱されるものである。また、こんろ本体の中心部に、魚等を焼くためのグリル１５が設けられ、操作ボタン１４ｄを押して図示しないグリルバーナに点火して加熱調理が行われる。グリルバーナの燃焼ガスは、器具後方に設けられた排気口１６から器具外へ排出される。
【００１２】
次に、操作パネル面２０及び操作パネル面２０の器具前面への取付方法について説明する。
操作パネル面２０は、図１に示すように、器具前面に向かって左側に取り付けられる左操作パネル面２０Ｌと右側に取り付けられる右操作パネル面２０Ｒとからなる。左操作パネル面２０Ｌには、器具前面に取り付けられる際に操作ボタン１４ａ，１４ｂを挿通するボタン通穴２１ａ，２１ｂが開口され、同様に右操作パネル面２０Ｒには操作ボタン１４ｃ，１４ｄを相通するボタン通穴２１ｃ，２１ｄが開口される。
左操作パネル面２０Ｌの左端には、器具前面の左側と前面開口５との間に生じる隙間を覆う左サイドモール部２２Ｌが形成され、右操作パネル面２０Ｒの右端には、器具前面の右側と前面開口５との間に生じる隙間を覆う右サイドモール部２２Ｒが形成される。この左，右サイドモール部２２Ｌ，２２Ｒは、左，右操作パネル面２０Ｌ，２０Ｒを器具前面に取り付けた際には、器具本体の側面よりも左右に張り出す。
左操作パネル面２０Ｌと右操作パネル面２０Ｒの後面にはそれぞれ、図４に示すように、四辺にマグネットプレートＭが取り付けられる。
また、器具前面は、磁石にくっつく材料、例えば鉄で、平板状に形成される。
【００１３】
そして、上述したような左操作パネル面２０Ｌを、ボタン通穴２１ａ，２１ｂに操作ボタン１４ａ，１４ｂを挿通させながら器具前面の左側に近づけていくと、マグネットプレートＭの磁石の力で器具前面にくっつく。この際、ボタン通穴２１ａ，２１ｂに操作ボタン１４ａ，１４ｂを通すことによって、左操作パネル面２０Ｌの取付場所が位置決めされる。また、右操作パネル２０Ｒも同様に、ボタン通穴２１ｃ，２１ｄに操作ボタン１４ｃ，１４ｄを挿通させながら器具前面の右側に近づけていくと、マグネットプレートＭの磁石の力で器具前面にくっつく。
この際同時に、左操作パネル面２０Ｌに形成されている左サイドモール部２２Ｌによって、器具前面の左側と前面開口５との間に生じる隙間が塞がれ、右操作パネル面２０Ｒに形成されている右サイドモール部２２Ｒによって、器具前面の右側と前面開口５との間に生じる隙間が塞がれる。
また、左，右操作パネル面２０Ｌ，２０Ｒをとりはず時は、磁石の力よりも大きな力で引っ張れば簡単に取り外すことが可能である。
【００１４】
上述したビルトインこんろ１によれば、外観部となる操作パネル面２０を後付け部品として器具前面に着脱可能としているため、器具本体の全体構造は変えることなく、材料や色を変えた複数種類の操作パネル面２０、例えば、ガラス製、ステンレス製、人工大理石製などを用意するだけで、多様なデザインを提供でき、デザイン変更にかかるコストを低減できる。この結果、多様なデザインのビルトインこんろを提供でき、近年特に多様なデザインが施されてきたシステムキッチンとの調和をとることが可能となる。
更に、器具前面の左右と前面開口５との間の隙間を塞ぐためのサイドモールを左，右操作パネル面２０Ｌ，２０Ｒにそれぞれ左，右サイドモール部２２Ｌ，２２Ｒとして一体形成しているため、デザインの統一感が生まれ、デザイン性が一層向上する。しかも、サイドモールを取り付ける別な作業を行う必要がなくなり、施工性能も向上する。
【００１５】
以上本発明の実施形態について説明したが、本発明はこうした実施形態に何等限定されるものではなく、本発明の要旨を逸脱しない範囲において、種々なる態様で実施し得ることは勿論である。
【００１６】
【発明の効果】
以上詳述したように、本発明の請求項１記載のビルトインこんろによれば、外観部となる操作パネル面を後付け部品として器具前面に着脱可能としているため、器具本体の全体構造は変えることなく、材料や色を変えた複数種類の操作パネル面を用意するだけで、多様なデザインを提供でき、デザイン変更にかかるコストを低減できる。この結果、多様なデザインのビルトインこんろを提供でき、近年特に多様なデザインが施されてきたシステムキッチンとの調和をとることが可能となる。
【００１７】
更に、本発明の請求項２記載のビルトインこんろによれば、操作パネル面とサイドモールとが一体であるから、デザインの統一感が生まれ、デザイン性が一層向上する。しかも、サイドモール取り付け作業をわざわざ行わなくても済み、施工性も良好である。
【図面の簡単な説明】
【図１】本実施形態としてのビルトインこんろの概略構成図である。
【図２】本実施形態としてのビルトインこんろの取付概略図（正面図）である。
【図３】本実施形態としてのビルトインこんろの取付概略図（上面図）である。
【図４】操作パネル面の後面図である。
【図５】従来例としてのビルトインこんろをカウンタに組み込んだ状態を説明した図である。
【図６】従来例としてのビルトインこんろの概略構成図である。
【符号の説明】
１…ビルトインこんろ、２…カウンタトップ、３…上面開口、４…カウンタ前面、５…前面開口、２０…操作パネル面、２０Ｌ…左操作パネル面、２０Ｒ…右操作パネル面、２２Ｌ…左サイドモール部、２２Ｒ…右サイドモール部、Ｍ…マグネットプレート。
【図１】
2004245445.tif 000003
【図２】
2004245445.tif 000004
【図３】
2004245445.tif 000005
【図４】
2004245445.tif 000006
【図５】
2004245445.tif 000007
【図６】
2004245445.tif 000008